(57)【要約】【課題】発光色や発光パターンを簡単な操作で変更させて、エンターテイメント性や利便性を高めることができる発光具および発光具制御システムを提供する。【解決手段】携帯型の発光具１００Ａ（１００Ｂ）であって、発光素子を備える発光手段１１と、発光手段からの発光を導光する導光手段１１と、発光手段の発光色および発光パターンの少なくとも一方を制御する制御手段１２と、本機を親機として動作させるマスターモード、或いは子機として動作させるスレーブモードとに切り換える動作モード選択手段１３と、制御信号を受信する受信手段１４とを備え、制御手段は、動作モード選択手段でスレーブモードが選択されている場合には、所定の外部装置７００からの制御信号を受信手段で受信し、該制御信号に応じて発光色および発光パターンの少なくとも一方を変更するように制御する。【選択図】図１
2020080246.tif 000002
【特許請求の範囲】
【請求項１】
携帯型の発光具であって、
発光素子を備える発光手段と、
前記発光手段からの発光を導光する導光手段と、
前記発光手段の発光色および発光パターンの少なくとも一方を制御する制御手段と、
本機を親機として動作させるマスターモード、或いは子機として動作させるスレーブモードとに切り換える動作モード選択手段と、
制御信号を受信する受信手段と
を備え、
前記制御手段は、
前記動作モード選択手段で前記スレーブモードが選択されている場合には、所定の外部装置からの制御信号を前記受信手段で受信し、該制御信号に応じて前記発光色および前記発光パターンの少なくとも一方を変更するように制御することを特徴とする発光具。
【請求項２】
前記制御信号を発信する発信手段をさらに備え、
前記動作モード選択手段で前記マスターモードが選択されている場合には、前記発信手段により、前記スレーブモードが選択されている他機に対して前記所定の外部装置に代わって前記制御信号を発信することを特徴とする請求項１に記載の発光具。
【請求項３】
前記発光色または前記発光パターンを保持する保持手段をさらに備えることを特徴とする請求項１または請求項２に記載の発光具。
【請求項４】
前記保持手段で保持されている前記発光色および前記発光パターンの少なくとも一方を確認する確認用発光手段をさらに備えることを特徴とする請求項３に記載の発光具。
【請求項５】
請求項１から請求項４の何れかに記載の発光具を２台以上用い、
何れか１機の発光具の前記動作モード選択手段で前記マスターモードを選択し、他の発光具の前記動作モード選択手段で前記スレーブモードを選択した状態で、
前記スレーブモードを選択した発光具の制御手段は、前記マスターモードを選択した発光具から発信される前記制御信号に基づいて前記発光色および前記発光パターンの少なくとも一方を変更するように制御することを特徴とする発光具制御システム。
【発明の詳細な説明】
【技術分野】
【０００１】
本発明は、発光具および発光具制御システムに係り、例えばコンサート会場等で使用されるものに関する。
【背景技術】
【０００２】
従来から、コンサート会場などにおいて、音楽や歌唱に合わせて観客が手に持って振るなどしてエンターテイメント性を向上させることのできる発光具が種々提供されている（例えば、特許文献１参照）。
【先行技術文献】
【特許文献】
【０００３】
【特許文献１】特開２０１８−４９８４３号公報
【発明の概要】
【発明が解決しようとする課題】
【０００４】
ところで、従来技術に係る発光具は、複数の発光色や発光パターンをユーザが選択して発光させている。そのため、個別に発光色等を変更することはできても、例えば、コンサート等の主催者側で、各発光具の発光色や発光パターンを簡単に制御して、エンターテイメント性を高めることができないという不都合があった。
【０００５】
一方で、複数個の発光具を持って興趣を高めたいというユーザも増えている。このように一人のユーザが複数個の発光具を持つ場合に、全ての発光具の発光色や発光パターンを揃えたいという要望がある。しかしながら、複数個の発光具を用いる場合には、両手が発光具で一杯となるため、各発光具の発光色や発光パターンを変更する操作を行うことが難しいという難点があった。
【０００６】
本発明は、発光色や発光パターンを簡単な操作で変更させて、エンターテイメント性や利便性を高めることができる発光具および発光具制御システムを提供することを目的とする。
【課題を解決するための手段】
【０００７】
上記目的を達成するため、請求項１に係る発光具は、携帯型の発光具であって、発光素子を備える発光手段と、前記発光手段からの発光を導光する導光手段と、前記発光手段の発光色および発光パターンの少なくとも一方を制御する制御手段と、本機を親機として動作させるマスターモード、或いは子機として動作させるスレーブモードとに切り換える動作モード選択手段と、制御信号を受信する受信手段とを備え、前記制御手段は、前記動作モード選択手段で前記スレーブモードが選択されている場合には、所定の外部装置からの制御信号を前記受信手段で受信し、該制御信号に応じて前記発光色および前記発光パターンの少なくとも一方を変更するように制御することを要旨とする。
【０００８】
これにより、動作モード選択手段でスレーブモードを選択するだけの簡単な操作で、所定の外部装置により発光色および発光パターンの少なくとも一方を変更することが可能となり、エンターテイメント性を向上させることができる。
【０００９】
請求項２に係る発光具は、請求項１に記載の発明において、前記制御信号を発信する発信手段をさらに備え、前記動作モード選択手段で前記マスターモードが選択されている場合には、前記発信手段により、前記スレーブモードが選択されている他機に対して前記所定の外部装置に代わって前記制御信号を発信することを要旨とする。
【００１０】
これにより、マスターモードが選択されている発光具から発信される制御信号に基づいて、スレーブモードが選択されている発光具（他機）の発光色および発光パターンの少なくとも一方を変更することが可能となり、エンターテイメント性や利便性を高めることができる。
【００１１】
請求項３に係る発光具は、請求項１または請求項２に記載の発明において、前記発光色および前記発光パターンの少なくとも一方を保持する保持手段をさらに備えることを要旨とする。
【００１２】
これにより、保持手段で保持されている発光色および発光パターンの少なくとも一方を所望のタイミングで反映させることができ、エンターテイメント性や利便性をより高めることができる。
【００１３】
請求項４に係る発光具は、請求項３に記載の発明において、前記保持手段で保持されている前記発光色および前記発光パターンの少なくとも一方を確認する確認用発光手段をさらに備えることを要旨とする。
【００１４】
これにより、確認用発光手段で、保持手段で保持されている発光色および発光パターンの少なくとも一方を容易に確認することができ利便性を向上することができる。
【００１５】
請求項５に係る発光具制御システムは、請求項１から請求項４の何れかに記載の発光具を２台以上用い、何れか１機の発光具の前記動作モード選択手段で前記マスターモードを選択し、他の発光具の前記動作モード選択手段で前記スレーブモードを選択した状態で、前記スレーブモードを選択した発光具の制御手段は、前記マスターモードを選択した発光具から発信される前記制御信号に基づいて前記発光色および前記発光パターンの少なくとも一方を変更するように制御することを要旨とする。
【００１６】
これにより、簡単な操作で複数台の発光具の発光色および発光パターンの少なくとも一方を制御することができ、エンターテイメント性や利便性をより高めることができる。
【発明の効果】
【００１７】
本発明によれば、発光色や発光パターンを簡単な操作で変更させて、エンターテイメント性や利便性を高めることができる発光具および発光具制御システムを提供することができる。
【図面の簡単な説明】
【００１８】
【図１】実施の形態に係る発光具および発光具制御システムの機能構成を示す機能ブロック図である。
【図２】実施の形態に係る発光具の第１実施例の構成を示す正面図である。
【図３】実施の形態に係る発光具の第１実施例の構成を示す一部断面図である。
【図４】実施の形態に係る発光具の第２実施例の構成を示す正面図である。
【図５】実施の形態に係る発光具の第３実施例の構成を示す正面図である。
【図６】実施の形態に係る発光具の第４実施例の構成を示す正面図（ａ）および背面図（ｂ）である。
【図７】実施の形態に係る発光具制御システムで実行される発光制御処理の処理例を示すフローチャートである。
【発明を実施するための形態】
【００１９】
図１〜図６を参照して、本発明の実施の形態に係る発光具１００Ａ（１００Ｂ）の実施例について説明する。
【００２０】
（発光具の第１実施例）
図１〜図３を参照して、本実施の形態に係る発光具１００Ａ（１００Ｂ）および発光具制御システムＳ１の機能構成および構成例について説明する。
【００２１】
なお、本実施の形態において２台の発光具１００Ａ、１００Ｂは同様の構成を備えている。そして、この２台の発光具１００Ａ、１００Ｂにより、発光具制御システムＳ１が構成されている。
【００２２】
但し、発光具制御システムＳ１で制御可能な発光具は、図１に示すような２台には限定されず、同様の構成を備える３台以上の発光具を用いることもできる。
【００２３】
ここで、図１は、発光具１００Ａ（１００Ｂ）および発光具制御システムＳ１の機能構成を示す機能ブロック図、図２は、発光具１００Ａ（１００Ｂ）の第１実施例を示す正面図、図３は、第１実施例に係る発光具１００Ａ（１００Ｂ）の一部断面図である。
【００２４】
コンサート会場などにおいて、音楽や歌唱に合わせて観客が手に持って振るなどしてエンターテイメント性を向上させる携帯型の発光具１００Ａ（１００Ｂ）は、図１に示すように、発光素子（例えば、３色（Ｒ，Ｇ，Ｂ）発光型のＬＥＤ等）を備える発光手段１０と、発光手段１０からの発光を導光する円柱状の樹脂製の導光部材で構成される導光手段１１と、発光手段１０の発光色（例えば、３色（Ｒ，Ｇ，Ｂ）の一色または、それらの混合色）および発光パターン（例えば、点滅の複数のパターン）の少なくとも一方を制御するワンチップマイコン等で構成される制御手段１２と、本機１００Ａ（１００Ｂ）を親機として動作させるマスターモード、或いは子機として動作させるスレーブモードとに切り換える切換ボタン等で構成される動作モード選択手段１３と、制御信号ＩＲを受信するフォトトランジスタ等で構成される受信手段１４と、制御信号ＩＲを発信する発信手段と、各手段に電力を供給する電源部（乾電池等のバッテリ）２０とを備えている。
【００２５】
図１に示す例では、発光具制御システムＳ１を構成する発光具の内、発光具１００Ａでスレーブモードが選択され、発光具１００Ｂでマスターモードが選択されているものとする。
【００２６】
そして、制御手段１２は、動作モード選択手段１３でスレーブモードが選択されている場合（図１の発光具１００Ａの状態に該当）には、所定の外部装置（コントローラ等）７００からの制御信号ＩＲを受信手段１４で受信し、この制御信号に応じて発光色および発光パターンの少なくとも一方を変更するように制御する。
【００２７】
これにより、動作モード選択手段１３でスレーブモードを選択するだけの簡単な操作で、外部装置７００からの制御で発光色および発光パターンの少なくとも一方を変更することが可能となり、エンターテイメント性を向上させることができる。
【００２８】
なお、図１に示す例では、スレーブモードに設定された発光具は、発光具１００Ａのみであるが、２台以上の発光具でスレーブモードを選択することにより、複数の発光具の発光色および発光パターンの少なくとも一方を一斉に変更して同期させることができる。
【００２９】
また、図１上ではマスターモードが選択されている発光具１００Ｂで、動作モード選択手段１３によってスレーブモードに変更することにより、外部装置７００からの制御で発光色および発光パターンの少なくとも一方を変更することができるようになる。
【００３０】
一方、動作モード選択手段１３でマスターモードが選択されている場合（図１の発光具１００Ｂの状態に該当）には、発信手段１５により、スレーブモードが選択されている他機（図１の発光具１００Ａの状態に該当）に対して所定の外部装置７００に代わって制御信号ＩＲを発信する。
【００３１】
なお、発信手段１５としては、赤外線発光素子を用いる場合には、制御信号ＩＲは、赤外線の波長で送信される。また、その場合には、受光手段１４として赤外線受光素子を用いることは勿論である。
【００３２】
また、制御信号の送受信は、赤外線通信に限定されず、電波通信で行ってもよいし、使用環境によっては有線通信であってもよい。
【００３３】
これにより、マスターモードが選択されている発光具１００Ｂから発信される制御信号ＩＲに基づいて、スレーブモードが選択されている発光具１００Ａの発光色および発光パターンの少なくとも一方を変更することが可能となり、エンターテイメント性や利便性を高めることができる。
【００３４】
なお、発光色および発光パターンの少なくとも一方の変更に代えて、或いは加えて、振動モードや音声モードを変更するようにしてもよい。
【００３５】
また、発光色および発光パターンの少なくとも一方を保持する保持手段１６を備えているので、保持されている発光色および発光パターンの少なくとも一方を所望のタイミングで反映させることができ、エンターテイメント性や利便性をより高めることができる。
【００３６】
また、保持手段１６で保持されている発光色および発光パターンの少なくとも一方を確認するＬＥＤ等で構成される確認用発光手段１７を設けることができる。
【００３７】
この場合には、確認用発光手段１７で、保持手段１６で保持されている発光色および発光パターンの少なくとも一方を容易に確認することができ利便性を向上することができる。
【００３８】
このように、本実施の形態に係る発光具制御システムＳ１は、発光具１００Ａ（１００Ｂ）を２台以上用い、何れか１機の発光具（例えば、１００Ｂ）について動作モード選択手段１３でマスターモードを選択し、他の発光具（例えば、１００Ａ）について動作モード選択手段１３でスレーブモードを選択した状態で、スレーブモードを選択した発光具（例えば、１００Ａ）の制御手段１２は、マスターモードを選択した発光具（例えば、１００Ｂ）から発信される制御信号ＩＲに基づいて発光色および発光パターンの少なくとも一方を変更するように制御することができ、エンターテイメント性や利便性を高めることができる。
【００３９】
次に、図２および図３を参照して、第１実施例に係る発光具１００Ａ（１００Ｂ）の構成について説明する。
【００４０】
発光具１００Ａ（１００Ｂ）は、主に、ＡＢＳ樹脂等で成形される筐体部２０１と、透明または半透明等のアクリル樹脂またはガラス等で成形された中空円筒状の導光部材（導光手段）１１とから構成されている。
【００４１】
筐体部２０１は、有底円筒状に形成され、上部に開口部を有している。図には現れないが、開口部の内周には雌ねじ部が形成されており、導光部材１１の下端側の外周に形成された雄ねじ部と螺合されるように構成されている。
【００４２】
なお、筐体部２０１と導光部材１１の固定構造は、上述の螺合構造には限定されず、ビス止め等の他の固定方式を採用してもよい。  
【００４３】
筐体２０１の上部の外面には、３つの操作スイッチ２０２〜２０４が配置されている。
【００４４】
図２に示す例では、中央部に矩形状の操作スイッチ２０２が設けれ、この操作スイッチ２０２の左右に矢印形の操作スイッチ２０３、２０４が配置されている。なお、図示は省略するが、筐体２０１の背面側にも操作スイッチを設けてもよい。
【００４５】
ここで、矩形状の操作スイッチ２０２は、透光性の樹脂で成形されたボタン（被押圧部）を備えている。そして、筐体部２０１内に配置される確認用発光手段１７としてのＬＥＤの発光を透光することにより、保持手段１６で保持（カラーリザーブ）されている発光色および発光パターンの少なくとも一方を容易に確認できるようになっている。
【００４６】
なお、筐体２０１の操作スイッチ２０２〜２０４の下方側には、後述する基板等からの熱を排出する排熱孔２１０が形成されている。
【００４７】
筐体部２０１の内部には、円柱状の空間が形成されている。
【００４８】
図２に示すように、筐体２０１の内部には、制御手段１２としてのワンチップマイコン、発光手段１０としてのＬＥＤ、受信手段１４としての受光素子、発信手段１５としての赤外線発光素子等を搭載した基板３２０と、基板３２０の上面を覆うように配置されるレンズ部材３１０および電源部２０としてのバッテリ（乾電池等）などが収容されている。
【００４９】
ここで、操作スイッチ２０２〜２０４の押圧操作による動作の例について簡単に説明する。
【００５０】
例えば、矩形状の操作スイッチ２０２の長押し操作により、電源がオンになると同時に、前回の操作より保持手段１６で保持（カラーリザーブ）されている発光色および発光パターンでＬＥＤ１０が点灯する。
【００５１】
また、操作スイッチ２０２の長押し操作により、親機として動作するマスターモードが選択される。
【００５２】
また、矢印形の操作スイッチ２０３、２０４の何れかの長押し操作により、子機として動作するスレーブモードが選択される。
【００５３】
また、矢印形の操作スイッチ２０３、２０４の何れかの押圧操作により、保持手段１６で保持（カラーリザーブ）する色および発光パターンを選択する。そして、操作スイッチ２０２の押圧操作により、保持されている色および発光パターンがＬＥＤ１０の点灯状態に反映される。
【００５４】
なお、矩形状の操作スイッチ２０２の再度の長押し操作により、電源がオフされる。
【００５５】
このように、操作スイッチ２０２〜２０４の比較的簡単な押圧操作により、色および発光パターンを選択することができると共に、マスターモードが選択されている場合（図１の発光具１００Ｂに相当）には、スレーブモードが選択されている他機（図１の発光具１００Ａに相当）に色および発光パターンを反映させることができる。これにより、エンターテイメント性や利便性を高めることができる。
【００５６】
発光具制御システムＳ１における具体的な発光制御処理の処理手順の例については後述する。
【００５７】
（発光具の第２実施例）
次に、図４を参照して、第２実施例に係る発光具１００Ａ１（１００Ｂ１）について説明する。
【００５８】
第２実施例に係る発光具１００Ａ１（１００Ｂ１）の基本構成は、第１実施例に係る発光具１００Ａ（１００Ｂ）と同様である。同様の構成については、同一符号を付して重複した説明は省略する。
【００５９】
第１実施例に係る発光具１００Ａ（１００Ｂ）との相違点は、操作スイッチ２０２〜２０４に代えて、筐体２０１の側面にスライドスイッチ４０１を設け、筐体２０１の前面に操作スイッチ４０２を設けた点である。
【００６０】
ここで、スライドスイッチ４０１および操作スイッチ４０２の操作による動作の例について簡単に説明する。
【００６１】
本実施例に係る１００Ａ１（１００Ｂ１）では、スライドスイッチ４０１の切り換えで、マスターモードまたはスレーブモードを選択するようになっている。
【００６２】
また、操作スイッチ４０２の長押しで、電源のオン・オフを行い、操作スイッチ４０２の短時間の押圧操作で色および発光パターンの切り換えを行うようになっている。
【００６３】
これにより、簡単な操作でエンターテイメント性や利便性を高めることができる。
【００６４】
（発光具の第２実施例）
第２実施例に係る発光具１００Ａ１（１００Ｂ１）の基本構成は、第１実施例に係る発光具１００Ａ（１００Ｂ）と同様である。同様の構成については、同一符号を付して重複した説明は省略する。
【００６５】
第１実施例に係る発光具１００Ａ（１００Ｂ）との相違点は、操作スイッチ２０２〜２０４に代えて、筐体２０１の側面にスライドスイッチ４０１を設け、筐体２０１の前面に操作スイッチ４０２を設けた点である。
【００６６】
ここで、スライドスイッチ４０１および操作スイッチ４０２の操作による動作の例について簡単に説明する。
【００６７】
本実施例に係る発光具１００Ａ１（１００Ｂ１）では、スライドスイッチ４０１の切り換えで、マスターモードまたはスレーブモードを選択するようになっている。
【００６８】
また、操作スイッチ４０２の長押しで、電源のオン・オフを行い、操作スイッチ４０２の短時間の押圧操作で色および発光パターンの切り換えを行うようになっている。
【００６９】
これにより、簡単な操作でエンターテイメント性や利便性を高めることができる。
【００７０】
（発光具の第３実施例）
次に、図５を参照して、第３実施例に係る発光具１００Ａ２（１００Ｂ２）について説明する。
【００７１】
第３実施例に係る発光具１００Ａ２（１００Ｂ２）の基本構成は、第１実施例に係る発光具１００Ａ（１００Ｂ）と同様である。同様の構成については、同一符号を付して重複した説明は省略する。
【００７２】
第１実施例に係る発光具１００Ａ（１００Ｂ）との相違点は、操作スイッチ２０２〜２０４に代えて、筐体２０１の前面に左右一対の操作スイッチ５０１、５０２を設けた点である。
【００７３】
ここで、操作スイッチ５０１、５０２の操作による動作の例について簡単に説明する。
【００７４】
本実施例に係る発光具１００Ａ２（１００Ｂ２）では、例えば、操作スイッチ５０１の長押し操作でマスターモードを選択し、操作スイッチ５０２の長押し操作でスレーブモードモードを選択するようになっている。
【００７５】
また、操作スイッチ５０１、５０２の短時間の押圧操作で色および発光パターンの切り換えを行うようになっている。
【００７６】
これにより、簡単な操作でエンターテイメント性や利便性を高めることができる。
【００７７】
（発光具の第４実施例）
次に、図６（ａ）、（ｂ）を参照して、第４実施例に係る発光具１００Ａ３（１００Ｂ３）について説明する。
【００７８】
第４実施例に係る発光具１００Ａ３（１００Ｂ３）の基本構成は、第１実施例に係る発光具１００Ａ（１００Ｂ）と同様である。同様の構成については、同一符号を付して重複した説明は省略する。
【００７９】
第１実施例に係る発光具１００Ａ（１００Ｂ）との相違点は、操作スイッチ２０２〜２０４に代えて、筐体２０１の前面に３個の操作スイッチ６０１〜６０３を設けると共に、背面側に１個の操作スイッチ６０５を設けた点である。
【００８０】
なお、操作スイッチ６０１は、透光性の樹脂で成形されたボタン（被押圧部）を備えている。そして、筐体部２０１内に配置される確認用発光手段１７としてのＬＥＤの発光を透光することにより、保持手段１６で保持（カラーリザーブ）されている発光色および発光パターンの少なくとも一方を容易に確認できるようになっている。
【００８１】
ここで、操作スイッチ６０１〜６０３、６０５の操作による動作の例について簡単に説明する。
【００８２】
本実施例に係る発光具１００Ａ３（１００Ｂ３）では、例えば、操作スイッチ６０１の長押し操作により、電源がオンになると同時に、前回の操作より保持手段１６で保持（カラーリザーブ）されている発光色および発光パターンでＬＥＤ１０が点灯する。
【００８３】
また、操作スイッチ６０１の長押し操作により、親機として動作するマスターモードが選択される。
【００８４】
また、背面の操作スイッチ６０５の長押し操作により、子機として動作するスレーブモードが選択される。
【００８５】
また、操作スイッチ６０２、６０３の何れかの押圧操作により、保持手段１６で保持（カラーリザーブ）する色および発光パターンを選択する。そして、操作スイッチ６０１の押圧操作により、保持されている色および発光パターンがＬＥＤ１０の点灯状態に反映される。
【００８６】
なお、矩形状の操作スイッチ６０１の再度の長押し操作により、電源がオフされる。
【００８７】
このように、操作スイッチ６０１〜６０３、６０５の比較的簡単な押圧操作により、色および発光パターンを選択することができると共に、マスターモードが選択されている場合には、スレーブモードが選択されている他機に発光色および発光パターンを反映させることができる。これにより、エンターテイメント性や利便性を高めることができる。
【００８８】
（発光制御処理）
次に、図７のフローチャートを参照して、第１実施例に係る発光具１００Ａ、１００Ｂを用いた発光具制御システムＳ１で実行される発光制御処理の処理手順の例について説明する。なお、第２実施例〜第４実施例に係る発光具１００Ａ１（１００Ｂ１）、１００Ａ２（１００Ｂ２）、１００Ａ３（１００Ｂ３）の制御手順も同様である。
【００８９】
また、スレーブモードを選択した発光具が２台以上の場合も同様に制御可能である。
【００９０】
本処理を開始するに当たって、発光具１００Ａ、１００Ｂは所定の操作で電源がオンされているものとする。
【００９１】
図７のフローチャートに示すように、ステップＳ１０で発光具１００Ｂを所定の操作でマスターモードに設定してステップＳ１１に移行する。
【００９２】
ステップＳ１１では、発光手段としてのＬＥＤ１０を点灯してステップＳ１２に移行する。
【００９３】
前記ステップＳ１０、Ｓ１１と並行して、ステップＳ２０では、発光具１００Ａを所定の操作でスレーブモードに設定してステップＳ２１に移行する。
【００９４】
ステップＳ２１では、発光手段としてのＬＥＤ１０を点灯してステップＳ２２に移行する。
【００９５】
発光具１００Ｂ側の処理に戻って、ステップＳ１２で動作モードを変更するとステップＳ１３に移行する。ステップＳ１３では、スレーブモードに設定された発光具１００Ａに対して制御信号ＩＲを発信してステップＳ１４に移行する。
【００９６】
発光具１００Ａ側では、ステップＳ２２で、マスターモードに設定された発光具１００Ｂから制御信号ＩＲを受信したか否かが判定され、「Ｎｏ」の場合には待機し、「Ｙｅｓ」の場合にはステップＳ２３に移行する。
【００９７】
ステップＳ２３では、制御信号ＩＲに基づいて動作モード（例えば、発光色および発光パターン等）を変更してステップＳ２４に移行する。
【００９８】
ステップＳ１４では、発光具１００Ｂは電源オフされたか否かが判定され、「Ｎｏ」の場合にはステップＳ１２に戻り、「Ｙｅｓ」の場合には処理を終了する。
【００９９】
一方、ステップＳ１４では、発光具１００Ａは電源オフされたか否かが判定され、「Ｎｏ」の場合にはステップＳ２２に戻り、「Ｙｅｓ」の場合には処理を終了する。
【０１００】
以上、本発明の発光具１００Ａ（１００Ｂ）等および発光具制御システムＳ１を図示の実施形態に基づいて説明したが、本発明はこれに限定されるものではなく、各手段の構成は、同様の機能を有する任意の構成のものに置き換えることができる。
【０１０１】
例えば、発信手段１５を構成する赤外線発光素子等の出力を抑えて、近距離のみに制御信号ＩＲが届くように構成することができる。これにより、例えば、一人の使用者が複数の発光具１００Ａ（１００Ｂ）等を両手で持って、各発光具の発光色や発光パターンを同期させて使用したい場合などに、制御信号ＩＲが届く近距離内の発光具のみを制御することが可能となる。
【０１０２】
また、制御信号ＩＲに、チャンネルやＩＤ等を設定して、特定範囲の発光具のみについて、発光色や発光パターンを変更することができるようにしてもよい。
【符号の説明】
【０１０３】
Ｓ１…発光具制御システム
ＩＲ…制御信号
１００Ａ（１００Ｂ）、１００Ａ１（１００Ｂ１）、１００Ａ２（１００Ｂ２）、１００Ａ３（１００Ｂ３）…発光具
１０…発光手段（ＬＥＤ）
１１…導光手段（導光部材）
１２…制御手段
１３…動作モード選択手段
１４…受信手段（受光素子）
１５…発信手段（発光素子）
１６…保持手段
１７…確認用発光手段
２０…電源部（バッテリ）
２０１…筐体
２０２〜２０３…操作スイッチ
７００…外部装置
【図１】
2020080246.tif 000003
【図２】
2020080246.tif 000004
【図３】
2020080246.tif 000005
【図４】
2020080246.tif 000006
【図５】
2020080246.tif 000007
【図６】
2020080246.tif 000008
【図７】
2020080246.tif 000009